(57)【特許請求の範囲】
【請求項１】
下降流管部と上昇流管部とを有し、地中に埋設された高さ４０ｍ〜１５０ｍのシャフトと、該シャフト上端部に連設されるヘッドタンクとから構成される超深層曝気槽内に、原料となる馬鈴薯を摩砕しデカンターで澱粉を搾り取った後の汁液であるデカンター汁液を投入する工程と、
前記超深層曝気槽内へコンプレッサーによる圧縮空気を散気管を通じて供給し曝気処理することにより、前記超深層曝気槽内で繁殖させた微生物でデカンター汁液の好気性分解処理を行う工程と、
前記好気性分解処理されたデカンター汁液を処理液貯留池へ導く工程と、
からなることを特徴とする、超深層曝気槽を用いたデカンター汁液の液肥化処理方法。
【請求項２】
前記シャフト内のデカンター汁液をポンプで汲み上げてヘッドタンク内に傘状に散水する散水手段を含む消泡装置を、当該ヘッドタンクの上方に設備することを特徴とする、請求項１に記載した超深層曝気槽を用いたデカンター汁液の液肥化処理方法。
【請求項３】
前記デカンター汁液は、澱粉廃液の貯留池に一定期間貯留した後、前記超深層曝気槽内に投入することを特徴とする、請求項１又は２に記載した超深層曝気槽を用いたデカンター汁液の液肥化処理方法。
【請求項４】
前記デカンター汁液の温度が低く、超深層爆気槽内の温度が１５℃以下の場合、当該デカンター汁液を超深層曝気槽内に投入する前に２０℃以上に加温することを特徴とする、請求項１〜３のいずれか一に記載した超深層曝気槽を用いたデカンター汁液の液肥化処理方法。
【請求項５】
前記処理液貯留池に貯留されたデカンター汁液は、ポンプで汲み上げてタンクローリー車のタンク内へ供給することを特徴とする、請求項１〜４のいずれか一に記載した超深層曝気槽を用いたデカンター汁液の液肥化処理方法。
【請求項６】
前記散水手段は、ヘッドタンク内のデカンター汁液の表面から３０ｃｍ程度の高さに設けることを特徴とする、請求項２〜５のいずれか一に記載した超深層曝気槽を用いたデカンター汁液の液肥化処理方法。
【発明の詳細な説明】
【技術分野】
【０００１】
この発明は、超深層曝気槽を用いたデカンター汁液の液肥化処理方法の技術分野に属する。
【背景技術】
【０００２】
一部の澱粉工場では、操業期間中、原料となる馬鈴薯を摩砕しデカンター（横型連続式遠心分離機）で澱粉を搾り取った後の汁液（搾り液）であるデカンター汁液を、次年度の収穫量確保のため、そのまま農地に散布し還元していた。雨天等の天候によって散布できない場合は、デカンター汁液を廃液貯留池に投入し貯留していた。
しかし、廃液貯留池に貯留されるデカンター汁液は、澱粉生産高の増加に伴い全てを処理することができず、後日散布するまでの間に腐敗が進行し、そのまま農地に還元した場合、悪臭発生の問題が顕著となっている。
【０００３】
ところで、特許文献１には、デカンター排液を導入して発泡抑制のため酸性処理する反応槽と、該反応槽で酸性処理された高濃度ＢＯＤ、ＣＯＤの原水からＳＳを分離除去するＳＳ分離槽と、該ＳＳ分離槽で固液分離された分離液排水の水量、水質の安定供給化を図る酸性処理した処理水を貯留する酸性処理水槽と、高濃度有機物処理及び低水温時の処理のため複数段のヒューマスペレットを充填した曝気槽と沈殿槽とからなる馬鈴薯等を原料とする澱粉工場のデカンター濃厚汁液排水処理装置（請求項１参照）、及び、馬鈴薯等を原料とする澱粉工場のデカンター濃厚汁液排水を、酸性物質を添加し又は酸性物質の添加なしで酸性化した処理排液中、沈殿した汚泥の中和処理として中和物質を添加せずに通気又は撹拌により中和する馬鈴薯等を原料とする澱粉工場のデカンター濃厚汁液排水処理方法（請求項２参照）が開示されている（段落番号[0013]も合わせて参照）。
この方法によると、ＢＯＤ、ＣＯＤ、ＳＳの除去効果が高く、排水処理の有効性は認められる。
【先行技術文献】
【特許文献】
【０００４】
【特許文献１】特許第３０６６５７７号公報
【発明の概要】
【発明が解決しようとする課題】
【０００５】
上記特許文献１に係る発明は、排水処理について一応の効果は認められるものの、２〜４段の多段式曝気槽で行う等、装置全体の構成が複雑で処理工程が多く、これに伴い処理時間を長く要していた（段落番号[0023]第２文、図１参照）。よって、コストが非常に嵩む問題があった。また、装置全体の構成が複雑である故、その分メンテナンス費用も非常に嵩んだ。
さらに、デカンター汁液に多量に含まれる蛋白質に起因する発泡現象を抑制する手法も、等電点析出反応により酸性物質の添加又は該デカンター汁液の静置により酸性化してＰＨ３．７〜６．９に設定した上でＳＳ分離槽でＳＳ等を沈殿分離する必要があり（段落番号[0023]第１文参照）、非常に手間が掛かり煩雑であった。
【０００６】
本発明の目的は、貯留池に貯留された悪臭が顕著なデカンター汁液を、超深層曝気槽を用いることにより、非常にシンプルな構成でＢＯＤ等の処理速度を飛躍的に高めて農地に散布し還元することができる、デカンター汁液の液肥化処理方法を提供することである。
本発明の次の目的は、曝気処理中のデカンター汁液を散水に利用し、好気性分解処理工程と併行して発泡現象を抑制できる、経済的かつ合理的なデカンター汁液の液肥化処理方法を提供することである。
【課題を解決するための手段】
【０００７】
上記背景技術の課題を解決するための手段として、請求項１に記載した発明に係る超深層曝気槽を用いたデカンター汁液の液肥化処理方法は、下降流管部と上昇流管部とを有し、地中に埋設された高さ４０ｍ〜１５０ｍのシャフトと、該シャフト上端部に連設されるヘッドタンクとから構成される超深層曝気槽内に、原料となる馬鈴薯を摩砕しデカンターで澱粉を搾り取った後の汁液であるデカンター汁液を投入する工程と、
前記超深層曝気槽内へコンプレッサーによる圧縮空気を散気管を通じて供給し曝気処理することにより、前記超深層曝気槽内で繁殖させた微生物でデカンター汁液の好気性分解処理を行う工程と、
前記好気性分解処理されたデカンター汁液を処理液貯留池へ導く工程とからなることを特徴とする。
【０００８】
請求項２に記載した発明は、請求項１に記載した超深層曝気槽を用いたデカンター汁液の液肥化処理方法において、前記シャフト内のデカンター汁液をポンプで汲み上げてヘッドタンク内に傘状に散水する散水手段を含む消泡装置を、当該ヘッドタンクの上方に設備することを特徴とする。
【０００９】
請求項３に記載した発明は、請求項１又は２に記載した超深層曝気槽を用いたデカンター汁液の液肥化処理方法において、前記デカンター汁液は、澱粉廃液の貯留池に一定期間貯留した後、前記超深層曝気槽内に投入することを特徴とする。
【００１０】
請求項４に記載した発明は、請求項１〜３のいずれか一に記載した超深層曝気槽を用いたデカンター汁液の液肥化処理方法において、前記デカンター汁液の温度が低く、超深層爆気槽内の温度が１５℃以下の場合、当該デカンター汁液を超深層曝気槽内に投入する前に２０℃以上に加温することを特徴とする。
【００１１】
請求項５に記載した発明は、請求項１〜４のいずれか一に記載した超深層曝気槽を用いたデカンター汁液の液肥化処理方法において、前記処理液貯留池に貯留されたデカンター汁液は、ポンプで汲み上げてタンクローリー車のタンク内へ供給することを特徴とする。
【００１２】
請求項６に記載した発明は、請求項２〜５のいずれか一に記載した超深層曝気槽を用いたデカンター汁液の液肥化処理方法において、前記散水手段は、ヘッドタンク内のデカンター汁液の表面から３０ｃｍ程度の高さに設けることを特徴とする。
【発明の効果】
【００１３】
本発明に係る超深層曝気槽を用いたデカンター汁液の液肥化処理方法によれば、デカンター汁液を超深層曝気槽で良好に処理できるので、次の効果を奏する。
１）高水圧による酸素供給能力が高く、処理が促進される。よって、経済的かつ合理的である。
２）比較的小規模な施設で実施できる。
３）保守管理に特殊な能力や知識を必要としない。
４）非常にシンプルな構成で実施できるので、メンテナンスが簡易である。
５）従来、散布時期ではなかった７〜８月にも散布可能となる。
６）実施例２に係る消泡装置を用いると、前記１）〜５）の効果に加え、極めて良好な好気性分解処理を連続的に行うことができる。
【図面の簡単な説明】
【００１４】
【図１】超深層曝気槽を用いたデカンター汁液の液肥化処理工程を示した概略図である。
【図２】図１の超深層曝気槽を拡大して示した立面図である。
【図３】図１の超深層曝気槽の異なる実施例を拡大して示した立面図である。
【図４】散水手段（消泡装置）を概略的に示した平面図である。
【図５】Ａは散水手段を示した正面図、ＢはＡのＢ−Ｂ線矢視図、ＣはＡの底面図である。
【発明を実施するための形態】
【００１５】
次に、本発明に係る超深層曝気槽を用いたデカンター汁液の液肥化処理方法の実施例を図面に基づいて説明する。
【実施例１】
【００１６】
図１は、本発明に係る超深層曝気槽を用いたデカンター汁液の液肥化処理方法の実施例を示している。
このデカンター汁液の液肥化処理方法は、下降流管部１ａと上昇流管部１ｂとを有するシャフト１と、該シャフト１の上端部に連設されるヘッドタンク２とから構成される超深層曝気槽１０内に、原料となる馬鈴薯を摩砕しデカンターで澱粉を搾り取った後の汁液であるデカンター汁液１１を投入する工程と、
前記超深層曝気槽１０内へコンプレッサー５による圧縮空気を散気管６を通じて供給し曝気処理することにより、前記超深層曝気槽１０内で繁殖させた微生物でデカンター汁液１１の好気性分解処理を行う工程と、
前記好気性分解処理されたデカンター汁液１１を処理液貯留池４へ導く工程とからなる。
【００１７】
前記超深層曝気槽１０は、図２に拡大して示したように、デカンター汁液１１の下降流用に使用される下降流管部１ａと、上昇流用に使用される上昇流管部１ｂとを仕切り板１２で区切るか、図３に示したように、二重管構造として両者を形成した深さ（Ｈ）４０ｍ〜１５０ｍのシャフト１と、該シャフト１の上端部に拡径して連設されるヘッドタンク２とで構成されている。前記シャフト１は地中に埋設されている。
前記シャフト１内の液は、下降流管部１ａを下降し、底部で反転し、上昇流管部１ｂを上昇し、ヘッドタンク２を経由して当該下降流管部１ａに戻る循環流を形成している。
下降流管部１ａ内の混合液の流速は１〜２ｍ／秒程度であり、気泡が静止水中を浮上する速度（約０．３ｍ／秒）よりも充分大きいため、気泡が下降流管部１ａ内で上昇することはない。
超深層曝気槽１０内においては、その深さに応じ大きな静水圧が生じ、吹き込まれた空気中の酸素は液中に速やかに溶解する。ちなみに、本実施例では深さ（Ｈ）４５ｍのシャフト１を用いている。超深層曝気槽１０内を下降・上昇する流れは高度の乱流であり、気泡は細かく分断され、酸素溶解速度を高める。また、気泡が大深度を往復するため気泡の滞留時間が長く、高い酸素移動効率、高いエアレーション性能が得られる。
超深層曝気槽１０内の温度は、１５℃以上に設定している。これは、該曝気槽１０内で繁殖させた微生物の分解処理（活動）を考慮したものである。好気性分解の至適温度は３０℃程度とされている。よって、投入するデカンター汁液１１の温度が低く、超深層爆気槽１０内の水温が１５℃以下の場合は、デカンター汁液１１を予め２０℃以上に加温して実施することが好ましい。
【００１８】
上記構成の超深層曝気槽１０の下降流管部１ａへデカンター汁液１１を投入し、コンプレッサー５による圧縮空気を散気管６を通じて供給し曝気処理を行う。よって、下降流管部１ａ内へ投入されたデカンター汁液１１は、曝気処理で供給される圧縮空気により当該曝気槽１０内の下降流管部１ａと上昇流管部１ｂを（図２では時計回りに）循環する。
ちなみに本実施例では、１日に投入するデカンター汁液１１は約３０ｍ３とし、超深層曝気槽１０の容量は約１１０ｍ３で実施している。よって、一度に投入されるデカンター汁液１１は、平均すると超深層曝気槽１０内に約４日間滞留することになる。
【００１９】
超深層曝気槽１０は、深部の高水圧に比例して曝気空気中の酸素が水に溶け、酸素供給能力が高いため、多量の好気性微生物が保持され、該曝気槽１０の容量当たりの有機物分解速度が著しく増加するため、投入されたデカンター汁液１１の臭気改善が促進される。
かくして、前記超深層曝気槽１０内に投入されたデカンター汁液１１は、４日間程度連続的に循環流動し、当該曝気槽１０内を、共に循環流動する微生物により好気性分解される。
【００２０】
十分に好気性分解処理されたデカンター汁液１１は、随時オーバーフロー（又はポンプ）により前記超深層曝気槽１０から排出せしめ、処理液貯留池４に一時的に貯留される。貯留されたデカンター汁液１１は、必要なときに必要な量だけ処理液貯留槽４からポンプ等で汲み出され、タンクローリー車９のタンク内へ供給され、農地へ液肥として散布される。
ちなみに、本出願人の実験によれば、デカンター汁液１１のＢＯＤ（生物化学的酸素要求量）について、超深層曝気槽１０へ投入する前は、約10,000〜15,000ｍｇ／Ｌ程度であるのに対し、超深層曝気槽１０から排出された後の溶解性のＢＯＤは、約20〜80ｍｇ／Ｌ程度とほとんど無臭状態に改善されていることが分かっている。
以下、澱粉工場におけるデカンター汁液の処理計画について、図１に基づき、経時的に説明する。
【００２１】
（廃液貯留池３についての説明）
澱粉工場の操業期間が９月〜１１月（又は１２月）の３ヶ月間（又は４ヶ月間）であり、この間、雨天等で農地に散布できなかったデカンター汁液１１が廃液貯留池３に断続的に流入される。流入されるデカンター汁液１１は、平均してトータル約６０００ｍ３／年である。ＢＯＤは約10,000〜15,000ｍｇ／Ｌである。ちなみに、本実施例に係る廃液貯留池３の池容積は30,000ｍ３程度で実施している。この廃液貯留池３では、エアを入れて攪拌する等のエアレーションは一切行われない。
【００２２】
（超深層曝気槽１０についての説明）
前記９月〜１１月の間に前記廃液貯留液３に流入された未処理のデカンター汁液１１は、翌年の５月〜１１月の７ヶ月間にわたり、約３０ｍ３／日を連日のように（５月〜７月中に８０日（２４００ｍ３）、８月〜１１月中に１２０日（３６００ｍ３）。トータル約６０００ｍ３）ポンプ７で汲み上げて処理施設である超深層曝気槽１０の下降流管部１ａ側へ投入される。
すなわち、前記廃液貯留池３に流入されたトータル約６０００ｍ３のデカンター汁液１１は、翌年の５月〜１１月の間にすべて超深層曝気槽１０へ投入され、好気性分解処理される。
デカンター汁液１１の温度が低い５月や１１月以降の投入の際は、超深層爆気槽１０内の水温が１５℃以下に低下した場合、デカンター汁液１１を投入前に予め２０℃以上に加温して実施することが好ましい。これは、微生物の分解処理を考慮し、超深層曝気槽１０内の温度を１５℃以上に保持する必要があることに基づく。
前記超深層曝気槽１０内に投入されたデカンター汁液１１は、当該曝気槽１０内を共に循環流動する微生物により好気性分解される。好気性分解された後のデカンター汁液１１の溶解性のＢＯＤは、約20〜80ｍｇ／Ｌ程度とほとんど無臭である。その後、十分に好気性分解処理されたデカンター汁液１１は、投入された量（約３０ｍ３／日）だけ随時オーバーフロー（又はポンプ）により当該超深層曝気槽１０から排出せしめ、次の処理液貯留池４に一時的に貯留される。
【００２３】
（処理液貯留池４についての説明）
前記超深層曝気槽１０から排出されたデカンター汁液１１を貯留する処理液貯留池４は、本実施例では、約３４００ｍ３程度の容積で実施され、エアを入れて攪拌するエアレーション装置を備えている。この処理液貯留池４に貯留される無臭のデカンター汁液１１は、随時ポンプ８で汲み上げられ、タンクローリー車９のタンク内に供給され、農地へ液肥として散布される。
前記ポンプ８から汲み出すデカンター汁液１１の量は、前記超深層曝気槽１０内へ投入する未処理状態のデカンター汁液１１の量と合致する。すなわち、５月〜７月の間は、約３０ｍ３／日のデカンター汁液１１を計８０日（回）農地に散布し、８月〜１１月の間は、約３０ｍ３／日のデカンター汁液１１を計１２０日（回）農地に散布する。
【００２４】
かくして、前記廃液貯留池３に、９月〜１１月の間に貯留された約６０００ｍ３の未処理のデカンター汁液１１は、すべて、翌年の５月〜１１月の間に超深層曝気槽１０内へ投入されて好気性分解処理され、同５月〜１１月の間に農地に散布して還元されることとなる。なお、前記廃液貯留池３へのデカンター汁液１１の流入量は平均してトータル約６０００ｍ３／年に限定されず、天候等に応じて年毎に適宜増減される場合がある。
【００２５】
したがって、本発明に係る超深層曝気槽を用いたデカンター汁液の液肥化処理方法によれば、デカンター汁液を超深層曝気槽で良好に処理できるので、次の効果を奏する。
１）高水圧による酸素供給能力が高く、処理が促進される。よって、経済的、且つ合理的である。
２）比較的小規模な施設で実施できる。
３）保守管理に特殊な能力や知識を必要としない。
４）非常にシンプルな構成で実施できるので、メンテナンスが簡易である。
５）従来、散布時期ではなかった７〜８月にも散布可能となる。
【実施例２】
【００２６】
図４と図５は、上記実施例１に係る超深層曝気槽１０に、消泡装置２０を設備した実施例を示している。
前記デカンター汁液１１は、ＢＯＤが10,000〜15,000ｍｇ／Ｌと非常に高濃度である上に、生物処理が困難な難分解物である蛋白質が多量に含まれているため、処理の基本である通気、攪拌等によりデカンター汁液１１が短時間に発泡する発泡現象が起こる。よって、生物処理の曝気による発泡等のため、超深層曝気槽１０による良好な好気性分解処理を行うことが困難な場合があった。このような場合に、前記消泡装置２０を上記実施例１に係る超深層曝気槽１０に設備すると好適である。
【００２７】
この消泡装置２０は、超深層曝気槽１０のシャフト１内の好気性分解処理中のデカンター汁液１１を汲み上げるポンプ（図示略）と、傘状に散水する散水手段１３と、前記ポンプと散水手段１３とを連通する配管１４とから主に構成される。
前記散水手段１３は、図４に示したように、ヘッドタンク２の直上位置にバランス良く６基配設している。具体的には、前記ヘッドタンク２上に鋼材（Ｈ形鋼）を方形状に剛結した枠材２２を設置し、前記枠材２２に散水手段１３と連通する配管１４を固定して当該散水手段１３を設置している。
【００２８】
この散水手段１３は、筒形（図示例では八角形）の導管１５と、導管１５の下端部に水平に固定された円盤状のフランジ１６と、同フランジ１６と同形で、フランジ１６との間隔を調整可能にボルト止めしてなる水受板１７とから構成される。なお、図５中の符号１８は長ボルト、符号１９は蝶ナット、符号２１はフランジ１６を補強するリブを示している。なお、前記配管１４、導管１５、フランジ１６、及び水受板１７はすべて塩化ビニル製で実施されているが、材質はこれに限定されない。
【００２９】
前記ポンプにより汲み上げられたデカンター汁液１１は、配管１４および導管１５を通じてフランジ１６と水受板１７との隙間から３６０度にわたって放射し傘状に散水される。
この散水作用によって、超深層曝気槽１０内のデカンター汁液１１の表面上に浮遊する泡が消去されるので、極めて良好な好気性分解処理を行うことができる。
ちなみに、本出願人による対比実験では、シャワー状に散水する方式は、消泡機能がほとんどない上に異物による目詰まりを生じ易く、性能上およびメンテナンス上の問題があった。これに対し、本実施例に係る傘状に散水する方式は、前記浮遊する泡を大部分消去できる上に異物による目詰まりを生じる虞もなく、極めて良好な好気性分解処理を連続的に行い得ることが分かった。
【００３０】
本実施例に係る散水手段１３について更に具体的に説明すると、前記フランジ１６と水受板１７との間隔は、ボルト１８・ナット１９で調整でき、これによって散水量を調節できる。本出願人の実験によれば、フランジ１６と水受板１７との間隔は、０．５〜１．５ｃｍ程度で、超深層曝気槽１０内のデカンター汁液１１の表面と、散水手段１３の最下部に位置する水受板１７との距離は３０ｃｍ程度に設定すると、優れた消泡機能を発揮することが分かっている。
なお、散水手段１３の数量（本実施例では６基）、フランジ１６と水受板１７との間隔（本実施例では０．５〜１．５ｃｍ程度）、デカンター汁液１１の表面と水受板１７との距離（本実施例では３０ｃｍ程度）はこれに限定されるものではなく、ヘッドタンク２の平面積、或いは要求される好気性分解処理能力等に応じて適宜設計変更可能である。
【００３１】
したがって、この実施例２に係る超深層曝気槽を用いたデカンター汁液の液肥化処理方法によれば、上記した効果（段落番号［００２５］参照）に加え、極めて良好な好気性分解処理を連続的に行うことができる。
【００３２】
以上に実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００３３】
１      シャフト
１ａ    下降流管部
１ｂ    上昇流管部
２      ヘッドタンク
３      廃液貯留池
４      処理液貯留池
５      コンプレッサー
６      散気管
７      ポンプ
８      ポンプ
９      タンクローリー車
１０      超深層曝気槽
１１      デカンター汁液
１２      仕切り板
１３      散水手段
１４      配管
１５      導管
１６      フランジ
１７      水受板
１８      長ボルト
１９      蝶ナット
２０      消泡装置
２１      リブ
２２      鋼材（Ｈ形鋼）
【図１】
0005425048.tif 000002
【図２】
0005425048.tif 000003
【図３】
0005425048.tif 000004
【図４】
0005425048.tif 000005
【図５】
0005425048.tif 000006